(57)【要約】【課題】基準になる撮影モード設定を元に詳細設定可能な撮影モードで設定な撮影設定や範囲を限定することで所望の撮影設定を簡便に行えるようにすることを目的とする。【解決手段】撮影詳細設定を行うと判断すると（Ｓ５０１、Ｓ５０３）撮影パラメータ設定を取得し（Ｓ５０４）詳細設定が可能な撮影モードに設定することで（Ｓ５０５、Ｓ５０６）好みに応じた撮影設定を簡便に行えることを特徴とする。【選択図】図６
2016019252.tif 000002
【特許請求の範囲】
【請求項１】
複数の撮影モードを設定する撮影モード設定手段と、
特定の撮影条件に限定して設定可能な第一の撮影モードと、
撮影条件に関して詳細設定が可能な第二の撮影モードと、
前記第一の撮影モードで撮影パラメータを設定する撮影パラメータ設定手段と、
前記撮影パラメータ設定を前記第二の撮影モードに設定する手段と、
前記第二の撮影モードで前記第一の撮影モードに関連した詳細設定を表示する手段を
を有することを特徴とする撮像装置。
【請求項２】
前記第一の撮影モードで撮影パラメータを設定したときに
前記第二の撮影モードへの遷移方法を表示する遷移方法表示手段
を有することを特徴とする請求項１に記載の撮像装置。
【請求項３】
前記第一の撮影モードで前記撮影パラメータ設定後に複数回撮影すると前記第二の撮影モードへ遷移可能なことを表示する撮影後遷移方法表示手段
を有することを特徴とする請求項１に記載の撮像装置。
【請求項４】
前記第一の撮影モードから前記第二の撮影モードに遷移後に
前記詳細設定の一部を操作禁止にする手段
を有することを特徴とする請求項１に記載の撮像装置。
【請求項５】
前記第一の撮影モードから前記第二の撮影モードに遷移後に
前記詳細設定の有効設定と無効設定の表示形態を変更する手段
を有することを特徴とする請求項１に記載の撮像装置
【請求項６】
前記第一の撮影モードから前記第二の撮影モードに遷移後に
前記詳細設定で効果が不適な撮影パラメータを選択するとガイダンスを表示する手段
を有することを特徴とする請求項１に記載の撮像装置。
【請求項７】
前記第一の撮影モードから前記第二の撮影モードに遷移後に
前記詳細設定の設定範囲を限定する手段
を有することを特徴とする請求項１に記載の撮像装置。
【請求項８】
前記第一の撮影モードから前記第二の撮影モードに遷移後に
前記詳細設定の有効範囲と無効範囲の表示形態を変更する手段
を有することを特徴とする請求項１に記載の撮像装置。
【請求項９】
前記第一の撮影モードから前記第二の撮影モードに遷移後に
前記詳細設定で効果が不適な範囲を選択するとガイダンスを表示する手段
を有することを特徴とする請求項１に記載の撮像装置。
【発明の詳細な説明】
【技術分野】
【０００１】
本発明は、撮像されている画像を確認しながら撮像に係る撮影条件の設定を行える撮像装置、撮像装置の制御方法、プログラム及び記録媒体に関する。
【背景技術】
【０００２】
近年、デジタルカメラの撮影において、ただ綺麗に撮影するだけでなく自分の好みを反映したいというニーズが高まっている。そうした中、アート系のフィルター効果をかけた撮影モードが提案されている。一方、こうしたフィルター効果が自分好みでない場合は、プログラムＡＥモード等の画質設定が詳細に可能な撮影モードで複数の撮影パラメータを変更した行う必要があった。
【０００３】
この問題を解決するために特許文献１において、ナビ画面から画質調整画面に遷移し、所望の画像を得るために調整前後の値を表示する方法が提案されている。
【先行技術文献】
【特許文献】
【０００４】
【特許文献１】特開2009-271678号公報
【発明の開示】
【発明が解決しようとする課題】
【０００５】
しかしながら、特許文献１では目標値は提示されているが、好みの反映を行うためにどの設定を調整すれば良いか分からない問題があった。
【０００６】
本発明は、上記課題に鑑み、ユーザーの好みが簡便に反映するために撮影効果に好適なパラメータを提示することでユーザーが所望とする画像を簡単に設定することを目的とする。
【課題を解決するための手段】
【０００７】
上記課題を解決するために、本発明の請求項１に記載の撮像装置は、
複数の撮影モードを設定する撮影モード設定手段と、
特定の撮影条件に限定して撮影可能な第一の撮影モードと（クリェーティブフィルター）、
撮影条件に関して詳細設定が可能な第二の撮影モードと（Pモード等）、
前記第一の撮影モードで撮影パラメータを設定する撮影パラメータ設定手段と、
前記撮影パラメータ設定を前記第二の撮影モードに設定する手段と、
前記第二の撮影モードで前記第一の撮影モードに関連した詳細設定を表示する手段を
を有することを特徴とする。
【発明の効果】
【０００８】
本発明によれば、第一の撮影モードの撮影パラメータを第二の撮影モードに設定し、有効なパラメータや有効なパラメータの範囲を提示することでユーザーが所望とする撮影設定を簡便に行えるようにすることを目的とする。
【図面の簡単な説明】
【０００９】
【図１】本発明の撮像装置の一例としてのデジタルカメラの外観図である。
【図２】本実施形態のデジタルカメラの構成を示すブロック図である。
【図３】デジタルカメラ１００の全体的な動作のフローチャートである。
【図４】デジタルカメラ１００の静止画記録モードのフローチャートである。
【図５】デジタルカメラ１００の撮影パラメータ設定のフローチャートである。
【図６】デジタルカメラ１００の設定画面例である。
【発明を実施するための形態】
【００１０】
以下、添付の図面を参照して本発明の好適な実施形態について説明する。尚、以下に説明する実施形態では、本発明による装置、方法を静止画像と動画との撮影が可能なデジタルカメラである撮像装置に適用した場合を例にして説明する。
【００１１】
［デジタルカメラの構成について］
以下、図面を参照して本発明の好適な実施形態を説明する。図１に本発明の撮像装置の一例としてのデジタルカメラの外観図を示す。表示部２８は画像や各種情報を表示する表示部である。シャッターボタン６１は撮影指示を行うための操作部である。モードダイアル６０は各種モードを切り替えるための操作部である。コネクタ１１２は接続ケーブルとデジタルカメラ１００とのコネクタである。操作部７０はユーザーからの各種操作を受け付ける各種スイッチ、ボタン、タッチパネル等の操作部材より成る操作部である。コントローラーホイール７３は操作部７０に含まれる回転操作可能な操作部材である。
【００１２】
７２は電源スイッチであり、電源オン、電源オフを切り替える。記録媒体は２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。
【００１３】
図２は、本実施形態によるデジタルカメラ１００の構成例を示すブロック図である。図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１４】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１６】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００１７】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１８】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。システムタイマー５３は各種制御に用いる時間や、内蔵された時計の時間を計測する計時部である。
【００１９】
モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。
【００２０】
あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２３】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。
【００２４】
また、タッチセンサよりなる操作部材で、コントローラホイール７３自体は回転せず、コントローラホイール７３上でのユーザの指の回転動作などを検出するものであってもよい（いわゆる、タッチホイール）。
【００２５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２６】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２７】
［デジタルカメラの全体動作について］
図３は、本実施形態のデジタルカメラ１００の全体的な動作を説明するフローチャートである。このフローチャートにおける各処理は、システム制御部５０が不揮発性メモリ５６等に格納されたプログラムをシステムメモリ５２に展開して実行することにより実現される。
【００２８】
電源スイッチ７２が操作され電源がオンに切り替わると、ステップＳ３０１においてシステム制御部５０はフラグや制御変数等を初期化する。続いて、ステップＳ３０２において、記録媒体２００に記録されているファイルに関する管理処理を開始する。
【００２９】
次に、ステップＳ３０３、Ｓ３０５、Ｓ３０７において、システム制御部５０は、モード切替スイッチ６０の設定位置を判断する。静止画記録モードに設定されていたならば処理はステップＳ３０３からステップＳ３０４へ進み、静止画記録モード処理を実行する。ステップＳ３０４の静止画記録モード処理の詳細は図４を用いて後述する。モード切替スイッチ６０が動画記録モードに設定されていたならば、処理はステップＳ３０３、Ｓ３０５を経てステップＳ３０６へ進み、動画記録モード処理を実行する。また、モード切替スイッチ６０が再生モードに設定されていた場合、処理はステップＳ３０３、Ｓ３０５、Ｓ３０７を経てステップＳ３０８へ進み、再生モード処理を実行する。
【００３０】
また、その他のモードに設定されていた場合、処理はステップＳ３０９へ進み、システム制御部５０は選択されたモードに応じた処理を実行する。その他のモードとしては例えば記録媒体２００に格納されたファイルの送信を行う送信モード処理、外部機器からファイルを受信して記録媒体２００に格納する受信モード処理が含まれる。ステップＳ３０４、Ｓ３０６、Ｓ３０８、Ｓ３０９のうちのモード切替スイッチ６０によって設定されたモードに対応した処理を実行した後、処理はステップＳ３１０へ進む。ステップＳ３１０において、システム制御部５０は電源スイッチ７２の設定位置を判断する。電源スイッチ７２が電源オンに設定されていれば、ステップＳ３０３に処理を戻す。
【００３１】
一方、電源スイッチ７２が電源オフに設定されていたならば、処理はステップＳ３１０からステップＳ３１１へ進み、制御部５０は終了処理を行う。終了処理には、例えば以下の処理が含まれる。すなわち、表示部２８の表示を終了状態に変更し、レンズバリア１０２を閉じて撮像部２２を保護する。また、フラグや制御変数等を含むパラメータや設定値、設定モードを不揮発性メモリ５６に記録し、電源供給が不要な部分への電源を遮断する。ステップＳ３１１の終了処理が完了すると、本処理を終了し、電源をＯＦＦ状態へ移行する。
【００３２】
［静止画記録モード処理について］
図４静止画記録モード処理を示すフローチャートであり、前述した図３のステップＳ３０４の処理の詳細である。この静止画記録モード処理における各処理は、システム制御部５０が不揮発性メモリ５６等に格納されたプログラムをシステムメモリ５２に展開して実行することにより実現される。尚、図４に示される静止画記録モード処理は、モード切替スイッチ６０により他のモードへの切替が行われた場合や電源スイッチ７２がＯＦＦにセットされた場合に、割り込み処理等により終了するものとする。
【００３３】
システム制御部５０は、静止画記録モードを開始すると、ステップＳ４０１において撮影モードを確定する。撮影モードの確定は、不揮発性メモリ５６より前回の静止画記録モード終了時における撮影モードを取得してシステムメモリ５２に格納することでなされる。ここでいう撮影モードは、静止画を撮影するための撮影モードである。本実施の形態のデジタルカメラ１００は以下のような撮影モードを有する。
オートモード：カメラの各種パラメータが、計測された露出値に基づいてデジタルカメラ１００に組み込まれたプログラムにより自動的に決定されるモード。
マニュアルモード：カメラの各種パラメータをユーザが自由に変更可能なモード。
シーンモード：撮影シーンに適したシャッター速度や絞り値、ストロボ発光状態、感度設定等の組み合わせが自動で設定される。
【００３４】
尚、シーンモードには以下のようなモードが含まれる。
ポートレートモード：背景をぼかして人物を浮き立たせるようにして人物撮影に特化したモード。
夜景モード：人物にストロボ光をあて背景を遅いシャッター速度で記録する、夜景シーンに特化したモード。
風景モード：広がりのある風景シーンに特化したモード。
ナイト＆スナップモード：三脚なしで夜景と人物をきれいに撮るのに適したモード。
キッズ＆ペットモード：よく動き回る子供やペットをシャッターチャンスを逃さず撮影可能にしたモード。
新緑＆紅葉モード：新緑等の木々や葉を色鮮やかに撮影するのに適したモード。
パーティーモード：蛍光灯や電球のもとで、手振れを抑えて被写体に忠実な色味で撮影するモード。
スノーモード：雪景色をバックにしても人物が暗くならず、青みも残さず撮影するモード。
ビーチモード：太陽光の反射の強い海面や砂浜でも、人物などが暗くならずに撮影可能なモード。
花火モード：打ち上げ花火を最適な露出で鮮やかに撮影するためのモード。
水族館モード：屋内の水槽内の魚などを撮影するのに適した感度、ホワイトバランス、色味を設定するモード。
水中モード：水中に最適なホワイトバランスに設定し、青みを押さえた色合いで撮影するモード。
モノクロモード：白黒/セピア/青/紫/緑等の調色を選択し撮影するモード。
極彩色モード：彩度を上げた鮮烈な色で撮影するモード。
ライブビューモード：明るさ/色合い/鮮やかさを分かりやすい言葉で選択し絵作り可能な撮影モード。
【００３５】
撮影モードを確定すると続くステップＳ４０２において、撮像部２２からの画像データを表示するスルー表示を行う（画像表示制御）。スルー表示は、撮像部２２で撮像されている画像を記録媒体２００に記録することなくほぼリアルタイムの動画で表示部２８に表示するもので、これを見て撮影者は画角の確認や撮影のタイミングを計ることができる。
【００３６】
ステップＳ４０３において、システム制御部５０は，電源制御部８０を用いて電池等により構成される電源部３０の残容量や、記録媒体２００の有無や残容量がデジタルカメラ１００の動作に問題があるか否かを判定する。問題があるならば、ステップＳ４０４に進み、表示部２８を用いて画像や音声により所定の警告表示を行い、処理をステップＳ４０１に戻す。電源部３０や記録媒体２００の状態に問題が無いならば、ステップＳ４０５に進む。
【００３７】
ステップＳ４０５において、システム制御部５０は、ユーザ設定に応じて不揮発性メモリ５６等に格納された撮影設定をシステムメモリ５２に展開して撮影パラメータを設定しているか否かを判定する。設定中でなかれば、ステップＳ４０７に進む。設定中の場合は、ステップＳ４０６において、撮影設定に応じた処理を行う。詳細は図４にて説明する。
【００３８】
ステップＳ４０７において、システム制御部５０は、スルー表示される画像信号中に人の顔が存在するか否かを検出する顔検出を行う。システム制御部５０は、顔検出処理において人の顔が検出された場合、画像信号中において検出した顔の位置座標、サイズ（幅、高さ）、検出個数、信頼性係数等を顔情報としてシステムメモリ５２に記憶する。顔検出処理において顔が検出されなかった場合はシステムメモリ５２内の位置座標、サイズ（幅、高さ）、検出個数、信頼性係数等の領域に０を設定する。
【００３９】
続いてステップＳ４０８において、システム制御部５０は、第１シャッタースイッチ信号ＳＷ１がＯＮしているか否かを判定する（撮影準備指示受付）。第１シャッタースイッチ信号ＳＷ１がＯＦＦの場合は、処理はステップＳ４０５に戻る。一方、第１シャッタースイッチ信号ＳＷ１がＯＮの場合は、ステップＳ４０９に進む。
【００４０】
ステップＳ４０９では撮影準備動作が行われる。システム制御部５０は、測距処理を行って撮影レンズ１０３の焦点を被写体に合わせるとともに（オートフォーカス処理）、測光処理を行って絞り値及びシャッタースピードを決定する（露出決定処理）。尚、測光処理において、必要であればフラッシュの設定も行われる。このとき、ステップＳ４０７において顔が検出されていれば、検出した顔の範囲で測距を行う顔ＡＦを行うようにすることも可能である。
【００４１】
次に、ステップＳ４１０、Ｓ４１１では、第１シャッタースイッチ信号ＳＷ１と第２シャッタースイッチ信号ＳＷ２のＯＮ／ＯＦＦ状態を判定する。第１シャッタースイッチ信号ＳＷ１がＯＮした状態で第２シャッタースイッチ信号ＳＷ２がＯＮになると、処理はステップＳ４１０からステップＳ４１２へ進む。第１シャッタースイッチ信号ＳＷ１がＯＦＦになると（第２シャッタースイッチ信号ＳＷ２がＯＮせずに、更に第１シャッタースイッチ信号ＳＷ１も解除された場合）、処理はステップＳ４１１からステップＳ４０６へ戻る。また、第１シャッタースイッチ信号ＳＷ１がＯＮ、第２シャッタースイッチ信号ＳＷ２がＯＦＦの間は、ステップＳ４１０，Ｓ４１１の処理が繰り返される。
【００４２】
第２シャッタースイッチ信号ＳＷ２がＯＮになると、ステップＳ４１２において、システム制御部５０は、表示部２８の表示状態をスルー表示から固定色表示状態（例えば黒一色の表示）に設定する。そして、ステップＳ４１３において、システム制御部５０は、露光処理や現像処理を含む撮影処理を実行する。尚、露光処理では、撮像部２２、Ａ／Ｄ変換器２３を経て得られた画像データが、画像処理部２４及びメモリ制御部１５を介して、或いはＡ／Ｄ変換器２３から直接メモリ制御部１５を介して、メモリ３２に書き込まれる。また、現像処理では、システム制御部５０が、メモリ制御部１５そして必要に応じて画像処理部２４を用いて、メモリ３２に書き込まれた画像データを読み出して各種処理を行う。
【００４３】
次に、システム制御部５０は、ステップＳ４１４において、表示部２８に対し撮影処理で得られた画像データのクイックレビュー表示を行う。クイックレビュー表示とは、撮影画像の確認のために、被写体の撮影後記録媒体への記録前に、予め決められた時間（レビュー時間）だけ画像データを表示部２８に表示する処理である。
【００４４】
ステップＳ４１５において、システム制御部５０は撮影処理で得られた画像データを画像ファイルとして記録媒体２００に対して書き込む記録処理を実行する。
【００４５】
ステップＳ４１６において、システム制御部５０は、第２シャッタースイッチ信号ＳＷ２のＯＮ／ＯＦＦ状態を判定する。第２シャッタースイッチ信号ＳＷ２がＯＮの場合は、ステップＳ４１６の判定を繰り返し、第２シャッタースイッチ信号ＳＷ２がＯＦＦになるのを待つ。この間、上記クイックレビュー表示を継続させる。即ち、ステップＳ４１５の記録処理が終了した際に、第２シャッタースイッチ信号ＳＷ２が放されるまで表示部２８におけるクイックレビュー表示を継続させる。このように構成することにより、ユーザは、シャッターボタン６１の全押し状態を継続することで、クイックレビュー表示を用いた撮影画像データの確認を入念に行うことが可能となる。
【００４６】
ステップＳ４１６において、第２シャッタースイッチ信号ＳＷ２がＯＦＦであると判定されると、すなわちユーザがシャッターボタン６１から手を放すなどして全押し状態が解除されると、ステップＳ４１７へ進む。
【００４７】
ステップＳ４１７において、システム制御部５０は、予め定められたクイックレビュー表示のレビュー時間が経過したか否かを判定する。レビュー時間が経過していなければレビュー時間が経過するのを待ち、レビュー時間が経過するとステップＳ４１８に進む。
【００４８】
ステップＳ４１８において、システム制御部５０は、表示部２８の表示状態をクイックレビュー表示からスルー表示状態に戻す。この処理により、クイックレビュー表示によって撮影画像データを確認した後、表示部２８の表示状態は次の撮影のために撮像部２２からの画像データを逐次表示するスルー表示状態に自動的に切り替わることになる。
【００４９】
そして、ステップＳ４１９において、システム制御部５０は、第１シャッタースイッチ信号ＳＷ１のＯＮ／ＯＦＦを判定し、第１シャッタースイッチ信号ＳＷ１がＯＮの場合はステップＳ４１０へ、ＯＦＦの場合はステップＳ４０５へ処理を戻す。即ち、シャッターボタン６１の半押し状態が継続している（第１シャッタースイッチ信号ＳＷ１がＯＮ）場合は、システム制御部５０は次の撮影に備える（ステップＳ４１０）。一方、シャッターボタン６１が放された状態（第１シャッタースイッチ信号ＳＷ１がＯＦＦ）であったならば、システム制御部５０は、一連の撮影動作を終えて撮影待機状態に戻る（ステップＳ４０６）。
【００５０】
［撮影パラメータ設定処理について］
図５は撮影パラメータ設定処理を示すフローチャートであり、前述した図４のステップＳ４０６の処理の詳細である。この撮影パラメータ設定処理における各処理は、システム制御部５０が不揮発性メモリ５６等に格納されたプログラムをシステムメモリ５２に展開して実行することにより実現される。
【００５１】
システム制御部５０は、撮影パラメータ設定処理を開始すると、ステップＳ５０１においてお勧め設定を表示するボタン操作が行われたか判定する。ボタンが押されてない場合は処理を終了する。押されている場合は、ステップＳ５０２に進む。
【００５２】
ステップＳ５０１においては、システム制御部５０が不揮発性メモリ５６に格納されている各撮影モードでお勧め設定表示が可能か否かの情報を元にお勧め設定を表示し、次のステップＳ５０３に進む。
【００５３】
ステップＳ５０３においては、ユーザが選択しなかった場合は処理を終了する。選択した場合は、ステップＳ５０４に進む。
【００５４】
ステップＳ５０４においては、システム制御部５０が不揮発性メモリ５６に格納されている撮影モード毎の撮影パラメータ範囲情報を取得しシステムメモリ５２に展開する。
【００５５】
次にステップＳ５０５においては、撮影モード毎のパラメータ範囲情報をマニュアルモード等、詳細撮影パラメータ設定が可能な撮影モードの設定として、システムメモリ５２に展開する。撮影パラメータの一例を以下表1に示す。
【００５６】
【表１】
2016019252.tif 000003
【００５７】
表1（a）は、モノクロモードからマニュアルモードへ遷移したとき有効なパラメータである。モノクロムー画像を調整するために鮮やかさ以外のパラメータを選択可能にする。表1（b）は、極彩色モードからマニュアルモードへ遷移したときに有効なパラメータである。鮮やかさ設定の範囲を限定することで鮮やかさを維持した絵作りが可能である。
【００５８】
次にステップＳ５０６においては、図４に示す静止画記録モード処理のステップＳ４０１と同様な撮影モード確定処理を行いマニュアルモードやライブビューモードへ遷移する。
【００５９】
本実施例ではモノクロモード、極彩色モードからマニュアルモード、ライブビューモードへの遷移方法がお勧めボタンの選択によって行っているが、モノクロモード等で撮影を数回行った場合モノクロモードでこだわった絵作りをユーザーが行いたい可能性があるのでお勧め設定を表示する方法も考えられる。
【００６０】
また、本実施例では撮影設定を無効にしたり、撮影設定の範囲を限定しているが限定はせず、効果が無効な範囲の場合に警告をしたり、設定バーの表示を変更する方法も有効である。表示方法の実施形態は図６で説明する。
【００６１】
［設定画面例について］
図６は撮影パラメータ設定の設定画面例である。撮影パラメータ設定処理における各処理は、システム制御部５０が不揮発性メモリ５６等に格納されたプログラムをシステムメモリ５２に展開して実行し表示部２８等に表示制御される。
【００６２】
図６(a)は、表示部２８に表示されたスルー画像表示例である。次に図６(b)は、モノクロモードで操作部７０の操作で表示部２８に表示されたモノクロ設定ダイアログ６００である。モノクロ設定ダイアログ６００では、白黒/セピア/青の設定が可能である。
【００６３】
図５の撮影パラメータ設定処理に示したように操作部７０の操作で詳細設定を行うか、複数回撮影する等の処理を行うと、詳細設定ガイダンス６０１を表示する(図６(c))。図６(c)の画面において、操作部７０の操作で決定操作を行うと図６(d)の詳細設定ダイアログ６０２を表示する。詳細設定ダイアログ６０２は、次の要素から構成される。各パラメータの現在地を示すインジケータ６０３、設定が無効である無効表現６０４、撮影パラメータ全体が設定不可である撮影パラメータ設定不可表示６０５です。図６(d)は、モノクロモードの設定をライブビューモードへ反映した場合の実施形態の一例である。明るさ、色合いは設定可能で色合いを設定することで青〜セピアまで設定可能である。鮮やかさを変更するとモノクロ画像でなくなってしまうため設定を無効にし、その状態を表示している。
【００６４】
次に別の実現方法について説明する。図６(e)は、図６(d)の別の実現方法である。推奨設定値を示す推奨設定値表示６０５で鮮やかさを０にすることがモノクロ効果に有効であることを表示している。さらに別の実施形態として、図６(f)は、モノクロモードで不向きな設定変更を行うと、表示部２８へモノクロに不向けな設定な旨、ガイダンス６０６を表示する。
【００６５】
極彩色モードの設定をライブビューモードに反映する実施形態について説明する。図６(g)は、撮影パラメータを限定して設定可能にする実施例である。無効表現６０７で鮮やかさが0から5まで設定無効であることを表示している。また、操作としても6から12設定しか行うことが出来ない。このようにパラメータ操作を限定することで高彩度を保って、ユーザの好みの微調整が可能となる。
【００６６】
次に実施形態として、図６(e)と同様に図６(h)は高彩度に有効な範囲を有効範囲表示６０８で行うことでユーザが簡便に高彩度に好みを反映を可能にするものである。さらに別の実施形態として、図６(f)と同様に図６(i)は高彩度に不向きな設定を行うと設定な不向きな旨ガイダンス表示を行う。
【００６７】
また、モノクロモードの設定からライブビューモードに遷移するときに白黒/セピア/青の設定に関連する色合い設定に遷移することでユーザは簡便に設定の微調整を簡単に行えることが出来る。更に一番効果的なパラメータ（前述のモノクロモードの場合は、色合い）のみ設定を許可する実施形態も可能である。
【００６８】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００６９】
２８  表示部、６１  シャッターボタン、６０  モードダイアル、１１２  コネクタ
【図４】
2016019252.tif 000004
【図１】
2016019252.tif 000005
【図２】
2016019252.tif 000006
【図３】
2016019252.tif 000007
【図５】
2016019252.tif 000008
【図６】
2016019252.tif 000009